(57)【要約】【課題】放送開始状態からの音声メッセージを適切に記録できる技術を提供する。【解決手段】戸別受信機１０の制御部１６は、放送が開始されたと判断すると、スピーカ１４をオン状態にする。さらに、制御部１６は、スイッチ情報保持部１７の情報をクリアし、記憶手段１５に音声メッセージの保存を開始する。放送中に録音スイッチ１８が押下されると、制御部１６は、その旨を押下情報としてスイッチ情報保持部１７に保持する。そして、放送が終了したことを検知すると、制御部１６は、スピーカ１４をオフ状態にして、記憶手段１５への音声メッセージの保存を完了する。つぎに、制御部１６は、スイッチ情報保持部１７を参照し、押下情報の存在を確認すると、記憶手段１５に保存された音声メッセージを破棄せずに保持する。【選択図】図２
2011071821.tif 000002
【特許請求の範囲】
【請求項１】
受信した放送に含まれる音声メッセージを保存する記憶手段と、
前記放送の開始と共に前記音声メッセージの前記記憶手段への保存を開始させ、前記放送の終了と共に前記音声メッセージの前記記憶手段への保存を完了させるよう制御する制御手段と、
前記音声メッセージを録音するか否かの指示を取得する録音指示手段と、
前記録音指示手段による録音の実行に関する情報を保持する設定情報保持手段と、
を備え、
前記制御手段は、前記放送が終了したときに、前記設定情報保持手段に保持されている前記情報を参照して、前記記憶手段の音声メッセージの保持又は破棄を選択することを特徴とする受信装置。
【発明の詳細な説明】
【技術分野】
【０００１】
本発明は、受信装置に係り、例えば、受信した放送の音声メッセージを録音可能な受信装置に関する。
【背景技術】
【０００２】
都道府県や市町村の防災無線通信システムとして、同報系の無線システム（以下、「同報無線システム」という）がある。同報無線システムは、市町村役場等に設置されるセンタ局（または「親局」ともいう）と、ユーザが所有しセンタ局からの無線通信を受信する戸別受信機とから構成される。そして、センタ局は、操作卓を備え、戸別受信機に対して防災行政情報として、音声情報や文字情報等を送信する。
【０００３】
このような同報無線システムにあっては、ユーザ等の使い勝手を向上させた様々な技術が提案されている。例えば、音声情報の出力と文字情報の出力との選択を、ユーザの手元にあるマイクにより音声認識技術を使用して行う技術がある（例えば、特許文献１参照）。戸別受信機は、一般に、各家の高い位置に取り付けられていることが多いことから、上記マイクによる音声認識技術を用いた操作により非常に使い勝手が向上している。
【０００４】
また、戸別受信機にあっては、音声メッセージ録音機能を備えることで、ユーザの使い勝手を向上させた技術もある。この技術の戸別受信機では、放送が開始されるとスピーカをオンし、さらにユーザにより録音スイッチが押下されると、放送の録音が開始される。このような構成の戸別受信機とすることで、ユーザは所望のタイミングで放送を録音することができる。
【先行技術文献】
【特許文献】
【０００５】
【特許文献１】特開２００６−２４６０４０号公報
【発明の概要】
【発明が解決しようとする課題】
【０００６】
ところで、同報無線システムの受信装置における録音設定としては、（１）センタ局からの録音設定、（２）ユーザによる録音設定、（３）ユーザ不在時の録音設定等がある。ここで、ユーザによる録音設定について検討してみると、音声メッセージ放送中にユーザがその音声メッセージの録音を希望する場合、音声メッセージを放送中にユーザによって録音設定（録音指示）がなされる。その結果、音声メッセージの途中から録音されることになり、開始から完了までの全てのメッセージを録音することが出来ないという課題があった。
【０００７】
本発明は、このような従来の事情に鑑みなされたもので、放送開始状態からの音声メッセージを適切に記録できる技術を提供することを目的とする。
【課題を解決するための手段】
【０００８】
本発明に係る受信装置は、受信した放送に含まれる音声メッセージを保存する記憶手段と、前記放送の開始と共に前記音声メッセージの前記記憶手段への保存を開始させ、前記放送の終了と共に前記音声メッセージの前記記憶手段への保存を完了させるよう制御する制御手段と、前記音声メッセージを録音するか否かの指示を取得する録音指示手段と、前記録音指示手段による録音の実行に関する情報を保持する設定情報保持手段と、を備え、前記制御手段は、前記放送が終了したときに、前記設定情報保持手段に保持されている前記情報を参照して、前記記憶手段の音声メッセージの保持又は破棄を選択する。
【発明の効果】
【０００９】
以上、本発明によると、放送開始状態からの音声メッセージを適切に記録できる技術を提供することができる。
【図面の簡単な説明】
【００１０】
【図１】本発明の実施形態に係る、防災無線通信システムの構成を示す図である。
【図２】本発明の実施形態に係る、戸別受信機の構成を示す機能ブロック図である。
【図３】本発明の実施形態に係る、音声保存時の制御シーケンス図である。
【図４】本発明の実施形態に係る、音声未保存時の制御シーケンス図である。
【発明を実施するための形態】
【００１１】
次に、本発明を実施するための形態（以下、単に「実施形態」という）を、図面を参照して具体的に説明する。図１は、本実施形態に係る防災無線通信システム１の構成を示している。図示のように、防災無線通信システム１は、親局であるセンタ局５０と、子局である戸別受信機１０とを備えて構成されている。なお、ここでは明示していないが、中継装置や、子局として屋外拡声用の無線端末が含まれてもよい。
【００１２】
センタ局５０は、一般的な公知の構成を有しており、無線部と操作卓とを備えて構成されている。通報（メッセージ送出）を行う際の動作は、センタ局５０の操作卓から入力された音声を無線部から電波として送出する。
【００１３】
図２は、戸別受信機１０の概略構成を示した機能ブロック図である。戸別受信機１０は、アンテナ１１と、無線部１２と、音声変換部１３と、制御部１６とを備える。アンテナ１１は、センタ局５０からの無線信号を受信する。無線部１２は、アンテナ１１が受信した無線信号より所望のキャリア信号を抽出して増幅する。音声変換部１３は、無線部１２が出力した信号から音声データを抽出して出力する。この音声データが音声メッセージである。そして、スピーカ１４は、音声変換部１３から電気信号である音声データを取得して音声信号に変換し出力する。
【００１４】
さらに、戸別受信機１０は、記憶手段１５と、スイッチ情報保持部１７と、録音スイッチ１８とを備えている。記憶手段１５は、音声変換部１３の出力を保存する。録音スイッチ１８は、ユーザが録音を所望するときに押下される。なお、録音の指示手段として物理的なスイッチ（録音スイッチ１８）を例示するがこれに限る趣旨ではなく、例えばソフトウェア的に録音指示機能が実現されるアイコンのような手段等であってもよい。
【００１５】
スイッチ情報保持部１７は、録音スイッチ１８の押下情報を格納し記憶する。つまり、スイッチ情報保持部１７は、録音するか否かのユーザからの指示を記憶する。例えば、制御部１６は、録音する場合にはフラグを「１」に設定し、録音しない場合にはフラグを「０」に設定する。制御部１６は、戸別受信機１０の各構成要素を統括的に制御するとともに、放送開始時に、記憶手段１５に音声メッセージの保存動作を開始させ、放送終了時には保存動作を終了させる。さらに、制御部１６は、放送終了時に、スイッチ情報保持部１７を参照し、録音スイッチ１８が押下されている情報（押下情報）がある場合、記憶手段１５に保存された音声メッセージをそのまま保持し、押下情報がない場合には、記憶手段１５に保存された音声メッセージを破棄する。なお、記憶手段１５に保持された音声メッセージは、一定要件のもとで、破棄される。また、一定要件とは、例えば、所定の時間が経過したときや、ユーザから明示の指示があったときや、次の音声メッセージが保存されたときや、所定数の音声メッセージが保存されたときなどがある。
【００１６】
以上の構成による戸別受信機１０における音声メッセージの保存動作について、図３及び図４の制御シーケンス図をもとに説明する。図３は、音声保存時の制御シーケンス図である。
【００１７】
制御部１６は、放送が開始されたと判断すると、スピーカ１４をオン状態にする（Ｓ２１）。さらに、制御部１６は、スイッチ情報保持部１７の情報をクリアし（Ｓ２２）、記憶手段１５に音声メッセージの保存を開始する（Ｓ２３）。放送中に録音スイッチ１８が押下されると（Ｓ２４）、制御部１６は、その旨を押下情報としてスイッチ情報保持部１７に保持する（Ｓ２５）。そして、放送が終了したことを検知すると、制御部１６は、スピーカ１４をオフ状態にして（Ｓ２６）、記憶手段１５への音声メッセージの保存を完了する（Ｓ２７）。つぎに、制御部１６は、スイッチ情報保持部１７を参照し、押下情報の存在を確認すると（Ｓ２８）、記憶手段１５に保存された音声メッセージを破棄せずに保持する（Ｓ２９）。
【００１８】
つぎに、図４の制御シーケンス図をもとに、音声未保存時の動作について説明する。音声メッセージを保存する場合と同様に、制御部１６は、放送が開始されたと判断すると、スピーカ１４をオン状態にする（Ｓ３１）。さらに、制御部１６は、スイッチ情報保持部１７の情報をクリアし（Ｓ３２）、記憶手段１５に音声メッセージの保存を開始する（Ｓ３３）。ここでは放送中に録音スイッチ１８が押下されないため、制御部１６は、押下情報をスイッチ情報保持部１７に保持することはない。そして、放送が終了したことを検知すると、制御部１６は、スピーカ１４をオフ状態にして（Ｓ３４）、記憶手段１５への音声メッセージの保存を完了する（Ｓ３５）。つぎに、制御部１６は、スイッチ情報保持部１７を参照し、押下情報が存在しないことを確認すると（Ｓ３６）、記憶手段１５に保存された音声メッセージを破棄する（Ｓ３７）。
【００１９】
本実施形態によると、放送開始状態から音声メッセージの保存を開始することにより、放送中に録音指示がなされた場合であっても、放送開始からのメッセージを録音することができる。さらに、戸別受信機１０のユーザが録音スイッチ１８を押下しなければ、音声メッセージは不要として、一時的に記憶手段１５に保持された音声メッセージを削除するため、無駄な録音記録を残すことがなく、また、記録領域を有効に利用することができる。
【００２０】
以上、本発明を実施形態をもとに説明した。この実施形態は例示であり、それらの各構成要素や各処理プロセスの組み合わせにいろいろな変形例が可能なこと、またそうした変形例も本発明の範囲にあることは当業者に理解されるところである。例えば、ユーザが、戸別受信機１０の設置場所から離れた場所にいたために、戸別受信機１０の出力を十分に聞き取れない場合が想定される。そこで、録音スイッチ１８の押下がない場合であっても、一定の短期間、例えば５分程度の期間は削除せずに、一時的に記憶手段１５に保持してもよい。これによって、例えば、庭で作業をしている場合に、ユーザが緊急の放送を聞き逃した場合でも、再出力することで放送の内容を確認できる。そして、比較的短い時間経過後削除することで、無駄なメモリも必要とすることはない。
【００２１】
本実施形態の概要をまとめると以下の通りである。
本実施形態の受信装置は、受信した放送に含まれる音声メッセージを保存する記憶手段と、前記放送の開始と共に前記音声メッセージの前記記憶手段への保存を開始させ、前記放送の終了と共に前記音声メッセージの前記記憶手段への保存を完了させるよう制御する制御手段と、前記音声メッセージを録音するか否かの指示を取得する録音指示手段と、前記録音指示手段によりによる録音の実行に関する情報を保持する設定情報保持手段と、を備え、前記制御手段は、前記放送の終了したときに、前記設定情報保持手段に保持されている前記情報を参照して、前記記憶手段の音声メッセージの保持又は破棄を選択する。
また、前記制御手段は、前記音声メッセージの出力開始時に、前記設定情報保持手段の情報を初期化してもよい。
また、前記制御手段は、受信した音声メッセージの出力開始時に、スピーカの出力をオン状態とし、受信した音声メッセージの出力終了時に、スピーカの出力をオフ状態としてもよい。
また、当該受信装置は、同報無線通信システムにおける戸別受信装置であってもよい。
本実施形態の受信装置の音声録音方法は、放送の開始を検知する工程と、放送の開始を検知したときに、放送の音声メッセージの保存を開始する工程と、放送中において、ユーザからの録音指示を取得する工程と、放送の終了を検知したときに、音声メッセージの保存を終了する工程と、放送の終了を検知したときに、前記録音指示があった場合に、前記音声メッセージをそのまま保持し、前記録音指示がない場合に、前記音声メッセージを破棄する工程と、を有する。
また、当該方法は、放送の開始を検知したときに、スピーカをオン状態にする工程と、放送の終了を検知したときに、前記スピーカをオフ状態とする工程と、を備えてもよい。
また、当該方法は、前記放送の開始を検知したときに、ユーザから取得した録音指示に関する情報を初期化する工程を備えてもよい。
【符号の説明】
【００２２】
１  防災無線通信システム
１０  戸別受信機
１１  アンテナ
１２  無線部
１３  音声変換部
１４  スピーカ
１５  記憶手段
１６  制御部
１７  スイッチ情報保持部
１８  録音スイッチ
５０  センタ局
【図１】
2011071821.tif 000003
【図２】
2011071821.tif 000004
【図３】
2011071821.tif 000005
【図４】
2011071821.tif 000006